(57)【要約】【課題】  ランプの高さの調整時の作業性がよいとともに安全性が高い照明器具を提供する。【解決手段】  照明器具１０は、埋込本体１１、取付板１２、カバー１３、灯具１４及びコード１５を備えている。埋込本体１１は、一端に開口部１９を有する筒形で天井内に埋め込まれ、開口部１９の第１の縁部２５ａに第１のネジ２６を有する。取付板１２は、開口部１９に開閉自在に取り付けられ、外縁近傍に係止孔２８を有する。係止孔２８は、第１のネジ２６の頭部２６ｂを通過させる丸孔３４と、丸孔３４から外縁方向に延設され頭部２６ｂが通過不能でかつ第１のネジ２６の軸部２６ａが通過自在な長孔３５と、を含む。また、第１のネジ２６の頭部２６ｂと第１の縁部２５ａとの間には、隙間が設けられている。灯具１４の高さ調整時に、第１のネジ２６と係止孔２８とが係合し、取付板１２が埋込本体１１に吊り下げられる。【選択図】  図４
2006173009.tif 000002
【特許請求の範囲】
【請求項１】
少なくとも一端に開口部を有する筒形で天井内に埋め込まれ、ランプを吊り下げたコードの一部を収納する埋込本体と、
前記開口部に開閉自在に取り付けられる取付板と、を備え、
前記埋込本体は、前記開口部の縁部に垂直方向に設けられた軸部及び前記軸部の下端に前記縁部との間に隙間をあけて設けられ前記軸部に対して拡径した頭部からなる第１の係止手段と、前記開口部の一部であって前記第１の係止手段と離間した位置に設けられる第２の係止手段と、を有し、
前記取付板は、外縁近傍に、前記頭部が通過自在な第１の孔、及び、前記第１の孔に連通して前記第１の孔から外縁方向に延設され前記頭部が通過不能でかつ前記軸部が通過自在な第２の孔と、前記第２の係止手段と係合する係合手段と、を有することを特徴とする照明器具。
【請求項２】
前記取付板の前記外縁近傍が前記縁部と離間する方向に折り曲げられてなる折曲部が、前記第２の孔を含むことを特徴とする請求項１に記載の照明器具。
【請求項３】
前記取付板は、前記コードを通し、前記コードを前記取付板に係止する複数の第３の孔を有することを特徴とする請求項１または２に記載の照明器具。
【発明の詳細な説明】
【技術分野】
【０００１】
この発明は、コードによってランプを吊り下げる照明器具に関し、特に、天井に埋め込まれる埋込本体と埋込本体に取り付けられる取付板とを備える照明器具に関する。
【背景技術】
【０００２】
近年、天井内に埋め込まれる埋込本体と、埋込本体内から引き出されたコードによって吊り下げられるランプと、を備える照明器具が開発されている（例えば、特許文献１参照。）。上述のような照明器具では、天井からランプまでのコードの長さを調整することによって、ランプの高さが調整される。
【０００３】
天井からランプまでのコードの長さを調整する手段として、埋込本体の開口部に、開口部を開閉させる取付板が取り付けられ、コードを係止する孔を取付板に設け、取付板に係止するコードの長さ方向の位置を変えることによってコードの長さを調整するというものがある。
【０００４】
図９は、従来の照明器具の取付板の構成を示す底面図である。この照明器具の取付板１は、ネジ２の頭部が通過自在な大きさの孔３ａと、孔３ａに連通しネジ２の頭部が通過不能な孔３ｂと、からなる孔３を、取付板１の中心を挟んで対向する２箇所に有している。また、図示しない埋込本体の開口部のうち孔３に対応する位置に、ネジがそれぞれねじ込まれている。そして、孔３ａにネジが通し、埋込本体に対して取付板１を回転させることで、穴３ｂがネジ２と係合し、取付板１が埋込本体に取り付けられる。ランプの高さの調整時は、取付板１を埋込本体に対して取付時と逆方向に回転させ、ネジ２と孔３との係合を解除させることによって、取付板１が埋込本体から完全に取り外される。
【０００５】
図１０は、従来の他の照明器具の一部の構成を示す斜視図である。この照明器具では、ランプの高さの調整時すなわちコード４の長さの調整時に、取付板５は埋込本体６に対して仮吊り部材７によって仮吊りされる。
【特許文献１】特開２００１−３０７５３９公報
【発明の開示】
【発明が解決しようとする課題】
【０００６】
しかし、図９に示す照明器具のように、ランプの高さの調整時に、取付板１を埋込本体から完全に取り外すと、常に一方の手で取付板１を持っている必要があり、コードの長さの調整の作業を他方の手のみで行わなければならなくなり、作業性がよくない。また、手を滑らせるなど過って取付板１を落下させてしまう場合があり、危険性が高い。
【０００７】
また、図１０に示す照明器具のように、ランプの高さの調整時に取付板５を埋込本体６に仮吊りするように構成した場合、仮吊り部材７が必要となって部品点数が増加し、製造コストの高騰及び組立工程数の増加という問題が発生する。さらに、ランプの高さの調整時に、取付板５が回転しやすく、コードの長さ調整の作業性が低下する。また、取付板５を埋込本体６に取り付ける場合、仮吊り部材７が取付板５と埋込本体６との間に挟まらないように注意して作業する必要があり、この点でも作業性がよくない。
【０００８】
この発明の目的は、ランプの高さの調整時の作業性がよいとともに安全性が高い照明器具を提供することにある。
【課題を解決するための手段】
【０００９】
この発明の照明器具は、上述の課題を解決するために以下のように構成される。
【００１０】
（１）少なくとも一端に開口部を有する筒形で天井内に埋め込まれ、ランプを吊り下げたコードの一部を収納する埋込本体と、前記開口部に開閉自在に取り付けられる取付板と、を備え、前記埋込本体は、前記開口部の縁部に垂直方向に設けられた軸部及び前記軸部の下端に前記縁部との間に隙間をあけて設けられ前記軸部に対して拡径した頭部からなる第１の係止手段と、前記開口部の一部であって前記第１の係止手段と離間した位置に設けられる第２の係止手段と、を有し、前記取付板は、外縁近傍に、前記頭部が通過自在な第１の孔、及び、前記第１の孔に連通して前記第１の孔から外縁方向に延設され前記頭部が通過不能でかつ前記軸部が通過自在な第２の孔と、前記第２の係止手段と係合する係合手段と、を有することを特徴とする。
【００１１】
この構成においては、天井内に埋め込まれた埋込本体に、一端にランプが吊り下げられたコードの一部が収納される。埋込本体内に収納されたコードを引き出し又は埋込本体内にコードをさらに収納することで、ランプを吊り下げたコードの長さが調整される。これによって、ランプの高さが調整される。
【００１２】
埋込本体の開口部に、取付板が取り付けられる。取付板は、ランプの高さ調整時に開口部を開き、高さ調整の終了後に開口部を閉じる。埋込本体の開口部の縁部に第１の係止手段が設けられ、取付板の外縁近傍に第１の孔及び第２の孔が設けられる。第１の係止手段は、頭部が第１の孔に通された後、軸部が第２の孔側にスライドされることで、第１の係止手段の頭部と第２の孔とが係合し、取付板が埋込本体に係止される。第１の係止手段の頭部と埋込本体の開口部の縁部との間に隙間が設けられるので、取付板は開口部に対して開いた状態に吊り下げられる。
【００１３】
また、埋込本体の第２の係止手段と取付板の係合手段とが係合することで、取付板が開口部を閉じた状態に埋込本体に取り付けられる。
【００１４】
（２）前記取付板の前記外縁近傍が前記縁部と離間する方向に折り曲げられてなる折曲部が、前記第２の孔を含むことを特徴とする。
【００１５】
この構成においては、第１の係止手段の頭部が第２の孔と係合して取付板が埋込本体に吊り下げられたとき、第１の係止手段の頭部が折曲部と係合し、折曲部が開口部の縁部と離間する方向に折り曲げられているので、取付板が、開口部に対して大きく開いた状態で埋込本体に吊り下げられる。
【００１６】
（３）前記取付板は、前記コードを通し、前記コードを前記取付板に係止する複数の第３の孔を有することを特徴とする。
【００１７】
この構成においては、一端にランプを吊り下げたコードが、複数の第３の孔に通され取付板に係止される。そして、取付板が開口部に対して開き且つ埋込本体に係止された状態で、取付板に係止されたコードの長さ方向の位置が変更され、これによって、取付板とランプとの間のコードの長さが調整される。
【発明の効果】
【００１８】
この発明によれば、以下の効果を奏することができる。
【００１９】
（１）ランプの高さ調整時に取付板が埋込本体に係止されるので、一方の手で取付板を保持する必要がなく、両手を自由に使ってコードの長さを変更し、ランプの高さを調整することができる。また、仮吊り部材を設けた場合のように、取付板が回転することがなく、さらに、仮吊り部材が取付板と埋込本体との間に挟まらないように注意して作業する必要もない。したがって、ランプの高さ調整の作業性を向上させることができる。また、手を滑らせるなど過って取付板を落下させることがないので、安全性を高めることができる。
【００２０】
（２）ランプの高さ調整時に、取付板を開口部に対して大きく開いた状態で埋込本体に吊り下げることができるので、ランプの高さ調整の作業性をいっそう向上させることができる。
【００２１】
（３）取付板が埋込本体に係止された状態で、取付板に係止されるコードの長さ方向の位置を変更するので、両手を自由に使って作業をでき、作業性がよい。また、取付板に係止されるコードの長さ方向の位置を作業性よく変更することができるので、取付板とランプとの間のコードの長さを容易に調整し、ランプの高さを容易に調整することができる。
【発明を実施するための最良の形態】
【００２２】
以下に、この発明の実施形態について図面に基づいて説明する。図１は、この発明の実施形態に係る照明器具１０の使用状態を示す正面図である。この実施形態に係る照明器具１０は、埋込本体１１、取付板１２、カバー１３、灯具１４、および、コード１５を備えている。
【００２３】
灯具１４は、ランプ１６、ランプ取付器具１７及びセード１８を含む。ランプ１６及びセード１８はそれぞれ、ランプ取付器具１７に取り付けられている。ランプ取付器具１７に、コード１５の一端が固定され、ランプ取付器具１７はコード１５によって吊り下げられている。コード１５の他端は電源に接続されており、コード１５はランプ１６に電力を供給している。
【００２４】
埋込本体１１は、下端に開口部１９（図４参照）を有する筒形に形成されている。埋込本体１１は、天井内に埋め込まれ、開口部１９を天井面２０に開口している。埋込本体１１内に、灯具１４を吊り下げたコード１５の一部が収納されている。埋込本体１１内のコード１５を引き出すことで灯具１４の位置が低められ、埋込本体１１内にコード１５を収納することで灯具１４の位置が高められる。
【００２５】
図２は、取付板１２及びカバー１３の構成を示す斜視図である。取付板１２は、略円板形に形成され、埋込本体１１の開口部１９に開閉自在かつ着脱自在に取り付けられている。取付板１２を開口部１９に取り付ける構成は、この発明の特徴部分であり、詳細については後述する。カバー１３は、取付板１２と略同じ大きさの円形に形成され、取付板１２の２個のカバー孔２１，２２と対応する位置に、２個の突起２３，２４を有する。カバー孔２１，２２と突起２３，２４とがそれぞれ係合することで、カバー１３が取付板１２に取り付けられる。取付板１２が埋込本体１１に取り付けられた状態で、さらに取付板１２にカバー１３が取り付けられることで、天井面２０の見栄えがよくなる。
【００２６】
図３は、取付板１２の構成を示す底面図である。図４は、埋込本体１１と開いた状態の取付板１２とを示す斜視図であり、図５は、その正面図である。埋込本体１１の開口部１９の第１の縁部２５ａと、開口部１９の一部であって埋込本体１１の軸心を挟んで第１の縁部２５ａに対向する位置に設けられた第２の縁部２５ｂとにそれぞれ、第１のネジ２６と第２のネジ２７とが垂直方向に下方からねじ込まれている。
【００２７】
第１のネジ２６及び第２のネジ２７はそれぞれ、軸部２６ａ，２７ａと、軸部２６ａ，２７ａより拡径された頭部２６ｂ、２７ｂと、を有する。第１のネジ２６及び第２のネジ２７はそれぞれ、第１の縁部２５ａ及び第２の縁部２５ｂに対して完全にねじ込まれず、頭部２６ｂ、２７ｂと第１の縁部２５ａ及び第２の縁部２５ｂとの間にそれぞれ隙間が設けられている。第１の縁部２５ａはこの発明の縁部に相当する。第１のネジ２６はこの発明の第１の係止手段に相当し、第２のネジ２７はこの発明の第２の係止手段に相当する。
【００２８】
取付板１２は、カバー孔２１，２２の他に、係止孔２８、係合孔２９、及び、３個のコード孔３０を有する。３個のコード孔３０には所定の順序でコード１５が挿通され、コード１５が取付板１２に係止される。取付板１２に係止されるコード１５の長さ方向の位置を変更することによって、灯具１４の高さが調整される。コード孔３０は、この発明の第３の孔に相当する。係合孔２９は、この発明の係合手段に相当する。
【００２９】
係合孔２９は、大径部３１と、大径部３１と連通した小径部３２と、大径部３１と小径部３２との境界に設けられた２個の突起３３と、を含む。大径部３１は、第２のネジ２７の頭部２７ｂの直径より大きく形成されている。小径部３２は、第２のネジ２７の頭部２７ｂの直径より小さく軸部２７ａの直径より大きく形成されている。２個の突起３３の間隔は、第２のネジ２７の頭部２７ｂの直径より小さく、軸部２７ａの直径より大きく設定されている。
【００３０】
第２のネジ２７の頭部２７ｂを大径部３１に通し取付板１２を回転させることで、頭部２７ｂが２個の突起３３を乗り越えて小径部３２にスライドし、頭部２７ｂが小径部３２と係合する。これによって、取付板１２は、開口部１９を閉じた状態に保持される。取付板１２が埋込本体１１の開口部１９を閉じているとき、灯具１４がコード１５の一端に吊り下げられているので、取付板１２は下方に荷重を受けている。したがって、頭部２７ｂは突起３３を乗り越えることができず突起３３に係止され、大径部３１側に容易にスライドしないので、取付板１２がユーザの意に反して開くことが抑制される。
【００３１】
図６に示すように、係止孔２８は、取付板１２の外縁近傍に設けられている。係止孔２８は、丸孔３４と、丸孔３４と連通し丸孔３４から取付板１２の外縁方向に延設された長孔３５と、を含む。丸孔３４は、この発明の第１の孔に相当する。長孔３５は、この発明の第２の孔に相当する。丸孔３４の内径は、第１のネジ２６の頭部２６ｂの直径より大きく形成されている。長孔３５は、丸孔３４に近い幅狭部３６と、丸孔３４から遠く外縁に近い幅広部３７と、からなる。幅広部３７の幅Ｗ２は、幅狭部３６の幅Ｗ１より広く形成されている。幅Ｗ１及び幅Ｗ２は、第１のネジ２６の頭部２６ｂの直径より小さく軸部２６ａの直径より大きく形成されている。
【００３２】
取付板１２の外縁近傍に第１の折曲部３８と第２の折曲部３９とが形成されている。第１の折曲部３８は、取付板１２の外縁近傍が埋込本体１１の開口部１９の第１の縁部２５ａと離間する方向に折り曲げられてなる。そして、第１の折曲部３８は、長孔３５を含んでいる。第１の折曲部３８は、この発明の折曲部に相当する。第２の折曲部３９は、第１の折曲部３８の外縁側の端部がさらに第１の折曲部３８と逆方向に折り曲げられており、取付板１２の外縁が略横Ｚ字形に形成されている。
【００３３】
図７（ａ）に示すように、取付板１２の外縁が２箇所で折り曲げられ横Ｚ字形になっているので、取付板１２の高さＴ１は、図７（ｂ）に示すように１箇所で折り曲げられている場合の取付板の高さＴ２より、低くされている。
【００３４】
また、係止孔２８の長孔３５において、丸孔３４から遠い幅広部３７の幅Ｗ２が丸孔３４に近い幅狭部３６の幅Ｗ１より大きく形成されている。このため、取付板１２を開いた状態にした場合、図８に示すように、第１のネジ２６の頭部２６ｂにおいて長孔３５と重なる部分が大きくなる。したがって、図８（ａ）に示すように第１の折曲部３８と第２の折曲部３９との間隔を小さくして取付板１２の高さＴ３を、図８（ｂ）に示すように幅広部３７を形成しなかった場合の取付板１２の高さＴ４より、低くすることができる。
【００３５】
上述のように構成された照明器具１０では、まず、第１のネジ２６と係止孔２８の長孔３５とを係合させ、次に、第２のネジ２７と係合孔２９の小径部３２とを係合させることによって、取付板１２が埋込本体１１に取り付けられ、取付板１２によって開口部１９を閉口させる。
【００３６】
一方、埋込本体１１に対して取付板１２を若干回転させ、第２のネジ２７の頭部２７ｂを係合孔２９の大径部３１に位置させ、第２のネジ２７と係合孔２９との係合を解除することによって、取付板１２が開口部１９を開口させる。このとき、第１のネジ２６と係止孔２８の長孔３５とは係合しており、取付板１２は埋込本体１１の第１の縁部２５ａに吊り下げられる。
【００３７】
また、取付板１２が開口部１９を閉口させた状態から、埋込本体１１に対して取付板１２を若干回転させて第２のネジ２７と係合孔２９との係合を解除し、さらに、取付板１２を埋込本体１１に対して若干スライドさせることによって、第１のネジ２６を係止孔２８の丸孔３４に位置させ、第１のネジ２６と係止孔２８との係合を解除する。これによって、取付板１２は、埋込本体１１から取り外される。
【００３８】
照明器具１０によれば、取付板１２を埋込本体１１から完全に取り外すことなく埋込本体１１に吊り下げた状態で取付板１２を開き、開口部１９を開口させることができるので、一方の手で取付板１２を保持する必要がなく、両手を自由に使ってコード１５が取付板１２に係合する位置を変更することができる。また、仮吊り部材を設けた場合のように、取付板１２が回転することがなく、さらに、仮吊り部材が取付板１２と埋込本体１１との間に挟まらないように注意して作業する必要もない。したがって、灯具１４の高さ調整の作業性がよく、灯具１４の高さを容易に調整することができる。また、取付板１２が埋込本体１１に吊り下げられているので、手を滑らせるなど過って取付板１２を落下させることがないので、安全性を高めることができる。
【００３９】
なお、コード孔３０は、３個に限定されないが、３個以上の奇数個設けられることが好ましい。コード孔３０が１個又は偶数個設けられた場合、コード１５を取付板１２に係止させるための部材が別に設けられる。例えば、１個のコード孔と、コードを挟む又は巻き付けるコード係止部材と、を設け、コード係止部材にコードを係止させた後に、コード孔からコードを引き出し、コードの一端に灯具を吊り下げる。
【００４０】
また、開口部１９の縁部は、上述のように埋込本体１１の軸心を挟んで対向する２箇所に設けられることに限定されず、開口部１９の３箇所に設けられてもよい。この場合、それぞれの縁部にネジが設けられ、それぞれの縁部に対応する取付板１２の部分に、ネジと係合する孔が設けられる。但し、これらの孔のうちの１つは係止孔２８であることは言うまでもない。
【図面の簡単な説明】
【００４１】
【図１】この発明の実施形態に係る照明器具の使用状態を示す正面図である。
【図２】取付板及びカバーの構成を示す斜視図である。
【図３】取付板及び埋込本体の開口部の構成を示す底面図である。
【図４】埋込本体及び開いた状態の取付板を示す斜視図である。
【図５】埋込本体及び開いた状態の取付板を示す正面図である。
【図６】取付板の詳細な構成を示す底面図である。
【図７】取付板の折曲部の構成について説明する説明図であり、（ａ）はこの発明の構成を示し、（ｂ）は比較例の構成を示す。
【図８】取付板の折曲部の構成について説明する説明図であり、（ａ）はこの発明の構成を示し、（ｂ）は比較例の構成を示す。
【図９】従来の照明器具の取付板の構成を示す底面図である。
【図１０】従来の他の照明器具の一部の構成を示す斜視図である。
【符号の説明】
【００４２】
１０  照明器具
１１  埋込本体
１２  取付板
１４  灯具
１５  コード
１６  ランプ
１９  開口部
２０  天井面
２５ａ  第１の縁部（縁部）
２６  第１のネジ（第１の係止手段）
２６ａ  軸部
２６ｂ  頭部
２７  第２のネジ（第２の係止手段）
２８  係止孔
２９  係合孔（係合手段）
３０  コード孔（第３の孔）
３４  丸孔（第１の孔）
３５  長孔（第２の孔）
３８  第１の折曲部（折曲部）
【図１】
2006173009.tif 000003
【図２】
2006173009.tif 000004
【図３】
2006173009.tif 000005
【図４】
2006173009.tif 000006
【図５】
2006173009.tif 000007
【図６】
2006173009.tif 000008
【図７】
2006173009.tif 000009
【図８】
2006173009.tif 000010
【図９】
2006173009.tif 000011
【図１０】
2006173009.tif 000012